【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
標的メッセージングを、各々が様々なサービスサブスクライバと関連付けられた無線アクセスポイントのネットワークから提供する方法であって、
１又は複数の無線アクセスポイントの第１のグループと、１又は複数の無線アクセスポイントの第２のグループとを識別するステップと、
メッセージプロバイダが前記１又は複数の無線アクセスポイントの第１のグループ及び前記１又は複数の無線アクセスポイントの第２のグループのうちの少なくとも一方にアクセスすることを選択したか否かを決定するステップであって、前記１又は複数の無線アクセスポイントの第１のグループが選択されたとき、第１の料金で提供される前記１又は複数の無線アクセスポイントの第１のグループにアクセスし、前記１又は複数の無線アクセスポイントの第２のグループが選択されたとき、第２の料金で提供される前記１又は複数の無線アクセスポイントの第２のグループにアクセスする、ステップと、
前記１又は複数の無線アクセスポイントの第１のグループ及び前記１又は複数の無線アクセスポイントの第２のグループの中の個々の無線アクセスポイントについて、前記無線プロバイダに関連付けられた１又は複数のメッセージを識別するステップであって、前記の識別は、サービスプロバイダ又はメッセージングサービスを通じて前記特定の無線アクセスポイントに関連付けられた１又は複数のサービスサブスクライバの属性に少なくとも部分的に基づき、前記１又は複数のサービスサブスクライバは、１又は複数の無線装置の１又は複数のユーザにサービスを提供する、ステップと、
特定の無線装置から探索要求フレームを受信するステップであって、前記探索要求フレームは、標的メッセージの要求を指定する情報要素を含む、ステップと、
前記標的メッセージの要求に応答して、前記特定の無線装置に前記１又は複数のメッセージのうちの少なくとも１を提供するステップと、
を有する方法。
【請求項２】
前記１又は複数のサービスサブスクライバの前記属性が、
企業の種類と、
位置と、
顧客の種類と、
のうちの１又は複数を含む、請求項１に記載の方法。
【請求項３】
前記標的メッセージの要求に応答して、前記特定の無線アクセスポイントから前記特定の無線装置へ探索応答フレームを提供するステップであって、前記探索応答フレームは、前記１又は複数のメッセージのうちの少なくとも１つを示す、ステップ、
を更に有する請求項１に記載の方法。
【請求項４】
前記特定の無線装置において前記１又は複数のメッセージのうちの少なくとも１つを受信するステップと、
ユーザの嗜好に従って前記の受信した１又は複数のメッセージをフィルタリングするステップと、
前記のフィルタリングされた１又は複数のメッセージを前記特定の無線装置のユーザに表示するステップと、
を更に有する請求項１に記載の方法。
【請求項５】
前記特定の無線装置において前記１又は複数のメッセージのうちの少なくとも１つを受信するステップと、
認証されたソースから生じた前記の受信した１又は複数のメッセージを検証するステップと、
前記の検証された１又は複数のメッセージを前記特定の無線装置のユーザに表示するステップと、
を更に有する請求項１に記載の方法。
【請求項６】
前記情報要素は、前記１又は複数のメッセージを提供すべき１又は複数のサービスプロバイダを指定する、請求項１に記載の方法。
【請求項７】
前記サービスプロバイダはインターネットプロバイダであり、前記サービスプロバイダを通じて個々の顧客はインターネットデータサービスを得る、請求項１に記載の方法。  
【請求項８】
前記サービスプロバイダは、前記１又は複数のメッセージのソースであるメッセージングデータベースを含む、請求項１に記載の方法。
【請求項９】
無線装置に標的メッセージを提供する方法であって、
１又は複数の無線アクセスポイントの第１のグループと、１又は複数の無線アクセスポイントの第２のグループとを識別するステップと、
メッセージプロバイダが前記１又は複数の無線アクセスポイントの第１のグループ及び前記１又は複数の無線アクセスポイントの第２のグループのうちの少なくとも一方にアクセスすることを選択したか否かを決定するステップであって、前記１又は複数の無線アクセスポイントの第１のグループが選択されたとき、第１の料金で提供される前記１又は複数の無線アクセスポイントの第１のグループにアクセスし、前記１又は複数の無線アクセスポイントの第２のグループが選択されたとき、第２の料金で提供される前記１又は複数の無線アクセスポイントの第２のグループにアクセスする、ステップと、
探索要求を受信するステップであって、前記探索要求は、前記無線装置のユーザの１又は複数の特徴又は興味を指定する、ステップと、
前記無線装置のユーザの１又は複数の特徴又は興味に従って、１又は複数の標的メッセージの要求を受信するステップと、
前記１又は複数の標的メッセージの要求を受信するのに応答して、前記メッセージプロバイダに関連付けられた１又は複数のメッセージを識別するステップであって、前記の識別された１又は複数のメッセージは、前記無線装置のユーザの１又は複数の特徴又は興味に基づき、前記無線装置のユーザを標的にする、ステップと、
前記１又は複数の標的メッセージの要求に対して応答を送信するステップであって、前記応答は前記識別された１又は複数のメッセージを示す、ステップと、
を有する方法。
【請求項１０】
前記ユーザを標的にする前記１又は複数のメッセージを識別するステップは、前記探索要求のなかで指定される前記ユーザの特徴又は興味を参照するステップを有する、請求項９に記載の方法。
【請求項１１】
前記応答は、探索応答フレームを有する、請求項９に記載の方法。
【請求項１２】
前記応答は、ビーコンフレームを有する、請求項９に記載の方法。
【請求項１３】
前記探索要求は、前記無線装置の存在を示し、
前記識別された１又は複数のメッセージは、前記無線装置へのイベントの通知を含む、
請求項９に記載の方法。
【請求項１４】
前記無線装置の前記ユーザを標的にする前記１又は複数のメッセージを識別するステップは、前記１又は複数のメッセージの記述的なタグを、前記無線装置の前記ユーザの前記１又は複数の特徴又は興味に相関させるステップを含む、請求項９に記載の方法。
【請求項１５】
モバイル無線装置に標的メッセージを提供するシステムであって、
１又は複数のプロセッサと、
コンピュータ可読命令を有するコンピュータ記憶媒体と、
を有し、前記コンピュータ可読命令は、前記１又は複数のプロセッサに、
無線アクセスポイントのネットワークから、前記標的メッセージを提供するために、第１の料金に関連付けられた無線アクセスポイントの第１のグループ又は第２の料金に関連付けられた無線アクセスポイントの第２のグループのうちの少なくとも一方を指定するメッセージプロバイダからの指示を受信し、
前記無線アクセスポイントのうちの少なくとも１つの近くにある特定のモバイル無線装置の存在の指示を受信し、
前記第１のグループ又は前記第２のグループの特定の無線アクセスポイントについて、メッセージプロバイダに関連付けられた１又は複数の標的メッセージを識別し、前記の識別は、サービスプロバイダ又はメッセージングサービスを通じて前記特定の無線アクセスポイントに関連付けられた１又は複数のサービスサブスクライバの属性に少なくとも部分的に基づき、
通知サービスから、前記特定のモバイル無線装置を標的とする前記１又は複数の標的メッセージを取得し、
前記の取得した１又は複数の標的メッセージを前記特定のモバイル無線装置による受信のために送信させる、
システム。
【請求項１６】
前記の取得した１又は複数の標的メッセージは、前記特定の無線アクセスポイントからビーコンフレームで送信される、請求項１５に記載のシステム。
【請求項１７】
前記の取得した１又は複数の標的メッセージは、前記特定の無線アクセスポイントから探索応答フレームで送信される、請求項１５に記載のシステム。
【請求項１８】
前記の取得した１又は複数の標的メッセージは、前記特定のモバイル無線装置が前記特定の無線アクセスポイントに参加するか否かにかかわらず、前記特定のモバイル無線装置による受信のために、前記特定の無線アクセスポイントからビーコンフレームで送信される、請求項１５に記載のシステム。
【請求項１９】
前記特定のモバイル無線装置の存在の指示の受信は、前記特定のモバイル無線装置の存在を示す情報要素の受信を含む、請求項１５に記載のシステム。
【請求項２０】
前記コンピュータ可読命令は、前記１又は複数のプロセッサに、さらに、
広告主又はメッセージプロバイダにより支払われる第１の料金に基づき、前記広告主又は前記メッセージプロバイダの施設により又は施設内で動作する無線アクセスポイントのネットワークから、１又は複数の無線アクセスポイントの第１のグループを選択し、
前記広告主又は前記メッセージプロバイダにより支払われる、第１の料金より高い第２の料金に基づき、無線アクセスポイントの前記ネットワークから、前記１又は複数の無線アクセスポイントの第１のグループに隣接する１又は複数の無線アクセスポイントの第２のグループを選択し、
前記広告主又は前記メッセージプロバイダにより支払われる、第２の料金より高い第３の料金に基づき、無線アクセスポイントの前記ネットワークから、異なる位置に渡る１又は複数の無線アクセスポイントの第３のグループを選択させる、
請求項１５に記載のシステム。